(57)【要約】【課題】  ネットワーク上で提供する著作物などのサンプルを容易に編集しで提供すること。【解決手段】  通信端末１０とネットワーク２０を介して通信可能に接続されたデータ配信サーバ１００であっで、複数の著作物データからなる著作物データ群を入力する著作物群入力手段１１０と、著作物データを構成する音声信号の強調状態に基づいで著作物データから所定再生時間の要約データに要約する要約手段１２０と、通信端末１０が著作物データ群に関する要約データの配信を要求したとき、著作物データ群を構成する複数の著作物データそれぞれから要約手段１２０が要約した各要約データを通信端末１０に配信する要約データ配信手段１３０とを有する。【選択図】    図１
2005332033.tif 000002
【特許請求の範囲】
【請求項１】
通信端末とネットワークを介して通信可能に接続されたデータ配信サーバであって、
複数の著作物データからなる著作物データ群を入力する著作物群入力手段と、
前記著作物データを構成する音声信号の強調状態に基づいて前記著作物データから所定時間で再生可能な要約データに要約する要約手段と、
前記通信端末が前記著作物データ群に関する要約データの配信を要求したとき、前記要約手段が前記複数の著作物データそれぞれから要約した各要約データを前記通信端末に配信する要約データ配信手段と、
を有することを特徴とするデータ配信サーバ。
【請求項２】
前記要約データ配信手段は、広告データが前記各要約データの間に再生されるように前記広告データ及び各要約データを前記通信端末に配信することを特徴とする請求項１に記載のデータ配信サーバ。
【請求項３】
通信端末にネットワークを介してデータを配信するデータ配信方法であって、
複数の著作物データからなる著作物データ群を入力する第１のステップと、
前記著作物データを構成する音声信号の強調状態に基づいて前記著作物データから所定時間で再生可能な要約データに要約する第２のステップと、
前記通信端末が前記著作物データ群に関する要約データの配信を要求したとき、前記第２のステップで前記複数の著作物データそれぞれから要約した各要約データを前記通信端末に配信する第３のステップと、
を有することを特徴とするデータ配信方法。
【請求項４】
前記第３のステップで、広告データが前記各要約データの間に再生されるように前記広告データ及び各要約データを前記通信端末に配信することを特徴とする請求項３に記載のデータ配信方法。
【請求項５】
通信端末とネットワークを介して通信可能に接続されたデータ配信サーバの機能を実現するためのデータ配信プログラムであって、
複数の著作物データからなる著作物データ群を入力する第１のステップと、
前記著作物データを構成する音声信号の強調状態に基づいて前記著作物データから所定時間で再生可能な要約データに要約する第２のステップと、
前記通信端末が前記著作物データ群に関する要約データの配信を要求したとき、前記第２のステップで前記複数の著作物データそれぞれから要約した各要約データを前記通信端末に配信する第３のステップと、
をコンピュータに実行させることを特徴とするデータ配信プログラム。
【請求項６】
前記第３のステップで、広告データが前記各要約データの間に再生されるように前記広告データ及び各要約データを前記通信端末に配信することを特徴とする請求項５に記載のデータ配信プログラム。
【発明の詳細な説明】
【技術分野】
【０００１】
本発明は、通信端末とネットワークを介して通信可能に接続され、種々のデータを配信するデータ配信サーバ、データ配信方法、及びデータ配信プログラムに関する。
【背景技術】
【０００２】
従来のデータ配信サーバとしては、複数の著作物について各著作物の内容と各著作物の属性情報及び書く著作物を特徴付けるキーワードとを登録している著作物データベースと、著作物を特徴付けるキーワードを指定した著作物利用要求に対して、著作物データベースから検索して著作物候補を抽出する著作物検索手段と、著作物検索手段の抽出した著作物候補それぞれのタイトルを提示し、利用者の希望する著作物の選択操作を受け付ける著作物選択入力受付手段と、利用者の選択した著作物のサンプルファイルを当該利用者に提供する手段と、を備えたものが知られている（特許文献１参照）。
【特許文献１】特開２００３−３２３４３８号公報
【発明の開示】
【発明が解決しようとする課題】
【０００３】
しかしながら、従来のデータ配信サーバでは、著作権の都合上、サンプルファイルが所定の再生時間を超えないように著作物を編集することも必要であり、ＣＤ（Compact Disc）などに記録された種々のアーティストのアルバムのサンプルをネットワーク上で広告や宣伝に使用するときなどには、著作物データを編集して配信するための作業が煩雑となるという問題が有った。
【０００４】
本発明は、このような事情に鑑みてなされたものであり、ネットワーク上で提供する著作物などのサンプルを容易に編集して提供することができるデータ配信サーバ、データ配信方法及びデータ配信プログラムを提供することを目的とする。
【課題を解決するための手段】
【０００５】
上記目的を達成するために請求項１に記載の発明は、通信端末とネットワークを介して通信可能に接続されたデータ配信サーバであって、複数の著作物データからなる著作物データ群を入力する著作物群入力手段と、前記著作物データを構成する音声信号の強調状態に基づいて前記著作物データから所定時間で再生可能な要約データに要約する要約手段と、前記通信端末が前記著作物データ群に関する要約データの配信を要求したとき、前記要約手段が前記複数の著作物データそれぞれから要約した各要約データを前記通信端末に配信する要約データ配信手段とを有することを特徴とする。
このように構成することにより、著作物データを構成する音声信号の強調状態に基づいて著作物データから所定時間で再生可能な要約データに要約し、要約した各要約データを配信するため、ネットワーク上で提供する著作物などのサンプルを容易に編集して提供することができる。
【０００６】
また、請求項２に記載の発明は、請求項１に記載のデータ配信サーバにおいて、前記要約データ配信手段は、広告データが前記各要約データの間に再生されるように前記広告データ及び各要約データを前記通信端末に配信することを特徴とする。
このように構成することにより、通信端末を利用している利用者に、広告、宣伝、または紹介などを行うことができ、また、要約データを連続しで配信することを避けることができる。
【０００７】
また、請求項３に記載の発明は、通信端末にネットワークを介してデータを配信するデータ配信方法であって、複数の著作物データからなる著作物データ群を入力する第１のステップと、前記著作物データを構成する音声信号の強調状態に基づいて前記著作物データから所定時間で再生可能な要約データに要約する第２のステップと、前記通信端末が前記著作物データ群に関する要約データの配信を要求したとき、前記第２のステップで前記複数の著作物データそれぞれから要約した各要約データを前記通信端末に配信する第３のステップとを有することを特徴とする。
このように構成することにより、著作物データを構成する音声信号の強調状態に基づいて著作物データから所定再生時間の要約データに要約し、要約した各要約データを配信するため、ネットワーク上で提供する著作物などのサンプルを容易に編集して提供することができる。
【０００８】
また、請求項４に記載の発明は、請求項３に記載のデータ配信方法において、前記第３のステップで、広告データが前記各要約データの間に再生されるように前記広告データ及び各要約データを前記通信端末に配信することを特徴とする。
このように構成することにより、通信端末を利用している利用者に、広告、宣伝、または紹介などを行うことができ、また、要約データを連続して配信することを避けることができる。
【０００９】
また、請求項５に記載の発明は、通信端末とネットワークを介して通信可能に接続されたデータ配信サーバの機能を実現するためのデータ配信プログラムであって、複数の著作物データからなる著作物データ群を入力する第１のステップと、前記著作物データを構成する音声信号の強調状態に基づいて前記著作物データから所定時間で再生可能な要約データに要約する第２のステップと、前記通信端末が前記著作物データ群に関する要約データの配信を要求したとき、前記第２のステップで前記複数の著作物データそれぞれから要約した各要約データを前記通信端末に配信する第３のステップとをコンピュータに実行させることを特徴とする。
このプログラムにより、著作物データを構成する音声信号の強調状態に基づいて著作物データから所定再生時間の要約データに要約し、要約した各要約データを配信するため、ネットワーク上で提供する著作物などのサンプルを容易に編集して提供することができる。
【００１０】
また、請求項６に記載の発明は、請求項５に記載のデータ配信プログラムにおいて、前記第３のステップで、広告データが前記各要約データの間に再生されるように前記広告データ及び各要約データを前記通信端末に配信することを特徴とする。
このプログラムにより、通信端末を利用している利用者に、広告、宣伝、または紹介などを行うことができ、また、要約データを連続して配信することを避けることができる。
【発明の効果】
【００１１】
以上説明したように、本発明によれば、ネットワーク上で提供する著作物などのサンプルを容易に編集して提供することができる、という効果が得られる。
【発明を実施するための最良の形態】
【００１２】
以下、本発明の実施形態を、図面を参照して詳細に説明する。図１に本発明の実施形態に係るデータ配信システムの構成を示す。図１において、本実施形態係る配信システムは、通信端末１０と、ネットワーク２０と、通信端末１０にネットワーク２０を介して接続されるデータ配信サーバ１００とを有している。
データ配信サーバ１００は、著作物群入力手段１１０と、要約手段１２０と、要約データ配信手段１３０と、著作物配信手段１４０とを有している。
【００１３】
また、データ配信サーバ１００は、コンテンツ配信サイトを運営する事業者などが有しており、通信端末１０とネットワーク２０を介して通信可能に接続される。データ配信サーバ１００は、パソコンやワークステーションなどを含むコンピュータなどによって構成される。
【００１４】
また、データ配信サーバ１００には、ネットワーク２０上の通信端末１０に著作物を提供するためのＷｅｂサイトなどが構築されており、データ配信サーバ１００は、著作物を表す著作物データを、ネットワーク２０を介して通信端末１０に配信するようになっている。
また、通信端末１０が、著作物データを要約した要約データの配信を要求したとき、データ配信サーバ１００は、要約データを、ネットワーク２０を介して通信端末１０に配信するようになっている。
【００１５】
なお、著作物データとは、音楽や映画などを表すデータであって、ＭＰＥＧ（Moving Picture Experts Group）やＭＰ３（MPEG-1 Audio Layer 3）などの符号化されたデータである。また、要約データは、試聴のためのサンプルなどに用いられる。
【００１６】
通信端末１０は、携帯電話やパソコンなどであり、データ配信サーバ１００からネットワーク２０を介して配信された電子データを処理できる端末であれば如何なるものでもよい。ところで図１では、通信端末１０が１つのみ図示されているが、通信端末１０は１つに限定されず多数存在してもよい。ネットワーク２０は、インターネットなどを用いてもよい。
【００１７】
図２に、本発明の実施形態に係るデータ配信サーバ１００のハードウェア構成を示す。同図において、ＣＰＵ（Central Processing Unit）１０１は、データ配信サーバ１００に関わるプログラムを実行するようになっている。
著作物群入力手段１１０、要約手段１２０、要約データ配信手段１３０、および著作物配信手段１４０は、ＣＰＵ１０１によって実行されるプログラムのモジュールでもよい。
【００１８】
ＲＯＭ（Read only Memory）１０２は、ＣＰＵ１０１が読み出すプログラム、ＣＰＵ１０１を立ち上げるためのプログラム、その他のプログラム、および、制御用のパラメータ等を記憶するようになっている。
ＲＡＭ（Random Access Memory）１０３は、ＣＰＵ１０１の動作中にＣＰＵ１０１の動作に要するプログラムやデータ等を記憶するようになっている。
【００１９】
ＥＥＰＲＯＭ（Electrically Erasable Programmable Read Only Memory）１０４は、プログラムや所定のデータを不揮発かつ書替可能に記憶するようになっている。ハードディスク１０５は、コンテンツを構成するデータなどを記憶するようになっている。インタフェース部１０６は、ネットワーク２０に接続されている装置と所定の通信プロトコルに準拠して通信するようになっている。
【００２０】
その他、データ配信サーバ１００は、図示してないが、液晶ディスプレイなどのディスプレイやキーボードやマウスなどの入力機器を備え、データ配信サーバ１００の装置規模を大きくできる場合には、フレキシブルディスクドライブやＣＤ（Compact Disc）、ＤＶＤ（Digital Versatile Disc）等のドライブをさらに備えるようにしてもよい。
【００２１】
著作物群入力手段１１０は、複数の著作物データからなる著作物データ群を入力するようになっている。ここで、著作物データ群とは、ＣＤやＤＶＤなどに記録されており、複数の楽曲などが含まれるアルバムなどに含まれる各楽曲データの集合である。例えば、著作物群入力手段１１０は、ＣＤやＤＶＤ等のドライブなどから著作物データ群を入力するようになっている。また、著作物群入力手段１１０は、入力したアルバムなどに含まれる複数の著作物データをハードディスク１０５に蓄積するようにしてもよい。
【００２２】
要約手段１２０は、著作物群入力手段１１０によって入力された著作物データを構成する音声信号の強調状態に基づいて著作物データから所定時間（所定再生時間）で再生可能な要約データに要約するようになっている。
また、要約手段１２０は、要約した要約データをハードディスク１０５に蓄積するようにしてもよい。
【００２３】
要約手段１２０は、例えば、特開２００３−３１６３７８号公報に記載されているように、楽曲を構成する音声信号から音声特徴量および音声小段落に関する情報を抽出し、抽出した情報に基づいて話者の発話状態が平静状態かまたは強調状態かを判定し、強調状態にある音声段落と対応する音声信号の一部のデータを抽出して要約データを生成するようにしてもよい。
【００２４】
また、要約手段１２０は、強調状態にある音声段落と対応する音声信号の一部のデータそれぞれの再生時間を積算し、積算した時間が１楽曲あたりの所定再生時間内に収まるように楽曲を要約して要約データを生成するようになっている。  なお、前記所定時間（所定再生時間）は、著作権を有する著作物を管理する団体などが規定している１楽曲あたりの再生時間としてもよい。
【００２５】
要約データ配信手段１３０は、通信端末１０が著作物データ群に関する要約データの配信を要求したとき、要約手段１２０が複数の著作物データそれぞれから要約した各要約データを、ネットワーク２０を介して通信端末１０に配信するようになっている。
【００２６】
例えば、データ配信サーバ１００が提供するＷｅｂサイトなどを通じて通信端末１０は、特定のアルバムなどに関する要約データの配信を要求するための配信要求データを送信し、データ配信サーバ１００が配信要求データを受信したとき、要約データ配信手段１３０は、要約手段１２０が特定のアルバムを構成する複数の楽曲それぞれから要約した各要約データをインタフェース部１０６に出力して通信端末１０に配信するようになっている。
【００２７】
また、要約データ配信手段１３０は、広告データが各要約データの間に再生されるように広告データおよび各要約データを、ネットワーク２０を介して通信端末１０に配信するようになっている。
なお、「広告データ」とは、広告、宣伝、または紹介などに関するデータである。例えば、あるアルバムに２曲の楽曲が存在したとすれば、要約データ配信手段１３０は、１曲目の要約データ、広告データ、２曲目の要約データの順番で配信するようになっている。
【００２８】
なお、通信端末１０を利用している利用者に、広告、宣伝、または紹介などを行いたい場合、若しくは要約データを連続して配信することを避けたい場合には、要約データ配信手段１３０は、広告データが各要約データの間に再生されるように広告データおよび各要約データを通信端末１０に配信すればよい。
【００２９】
著作物配信手段１４０は、通信端末１０が著作物データ群の配信を要求したとき、著作物データ群を構成する複数の著作物データを、ネットワーク２０を介して通信端末１０に配信するようになっている。
【００３０】
例えば、データ配信サーバ１００が提供するＷｅｂサイトなどを通じて通信端末１０は、特定のアルバムなどの配信を要求するための配信要求データを送信し、データ配信サーバ１００が配信要求データを受信したとき、著作物配信手段１４０は、特定のアルバムを構成する複数の楽曲をインタフェース部１０６に出力して通信端末１０に配信するようになっている。
【００３１】
以下、本発明の実施の形態に係るデータ配信サーバが実行するデータ配信プログラムについて、図面を参照して説明する。図３は、本発明の実施形態に係るデータ配信サーバが著作物データを要約する動作の流れを示すフローチャートである。
【００３２】
図３において、まず、複数の著作物データからなる著作物データ群が、著作物群入力手段１１０によって入力される（Ｓ１０１）。次に、所定時間で再生可能に要約された要約データが、著作物データを構成する音声信号の強調状態に基づいて要約手段１２０によって著作物データから要約される（Ｓ１０２）。
【００３３】
図４は、本発明の実施形態に係るデータ配信サーバが要約データを配信する動作の流れを示すフローチャートである。
図４において、まず、著作物データ群に関する要約データの配信を要求するための配信要求データが受信されたとき（Ｓ２０１）、著作物データ群を構成する複数の著作物データそれぞれから要約手段１２０が要約した各要約データは、要約データ配信手段１３０によってネットワーク２０を介して通信端末１０に配信される（Ｓ２０２）。
【００３４】
なお、ステップＳ２０２で、広告データが各要約データの間に再生されるように広告データおよび各要約データが、要約データ配信手段１３０によってネットワーク２０を介して通信端末１０に配信されるようにしてもよい。
また、通信端末１０を利用している利用者が、配信された各要約データの試聴などを行った後、通信端末１０が著作物データ群の配信を要求したとき、著作物データ群を構成する複数の著作物データは、著作物配信手段１４０によってネットワーク２０を介して通信端末１０に配信されるようにしてもよい。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００３６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３７】
以上説明したように、本発明の実施形態に係るデータ配信サーバ、データ配信方法及びデータ配信プログラムは、著作物データを構成する音声信号の強調状態に基づいて著作物データから所定時間で再生可能な要約データに要約し、要約した各要約データを配信するため、ネットワーク２０上で提供する著作物などのサンプルを容易に編集して提供することができる。
【００３８】
また、広告データが各要約データの間に再生されるように広告データおよび各要約データを通信端末１０に配信するため、通信端末１０を利用している利用者に、広告、宣伝、または紹介などを行うことができ、また、要約データを連続して配信することを避けることができる。
【産業上の利用可能性】
【００３９】
本発明に係るデータ配信サーバおよび配信プログラムは、ネットワーク上で提供する著作物などのサンプルを容易に編集して提供することができるという効果が有し、種々のデータを配信するデータ配信サーバ等に利用可能である。
【図面の簡単な説明】
【００４０】
【図１】本発明の実施の形態に係る配信システムのブロック構成図
【図２】本発明の実施の形態に係るデータ配信サーバのハードウェア構成を示す概略図
【図３】本発明の実施の形態に係るデータ配信サーバが著作物データを要約する動作の流れを示すフローチャート
【図４】本発明の実施の形態に係るデータ配信サーバが要約データを配信する動作の流れを示すフローチャート
【符号の説明】
【００４１】
１０…通信端末
２０…ネットワーク
１００…データ配信サーバ
１０１…ＣＰＵ
１０２…ＲＯＭ
１０３…ＲＡＭ
１０４…ＥＥＰＲＯＭ
１０５…ハードディスク
１０６…インタフェース部
１１０…著作物群入力手段
１２０…要約手段
１３０…要約データ配信手段
１４０…著作物配信手段
【図１】
2005332033.tif 000003
【図２】
2005332033.tif 000004
【図３】
2005332033.tif 000005
【図４】
2005332033.tif 000006